(57)【要約】【課題】屋根の施工が簡単になると共に、外壁面内側への漏水のおそれが少なくなるようにする。【解決手段】外壁７と屋根との取合部の上側を、雨押え材１９で覆うようにした屋根の壁際部の雨仕舞構造において、前記雨押え材１９の下側に、笠木１７に固定した補助雨押え２２が設けられ、補助雨押え２２の外壁７側端部に、上側に折り返してなる嵌合部２６が設けられ、雨押え材１９の外壁７側端部が、前記補助雨押え２２の嵌合部２６に嵌合固定されている。【選択図】      図１
2004339759.tif 000002
【特許請求の範囲】
【請求項１】
外壁（７）と屋根との取合部の上側を、雨押え材（１９）で覆うようにした屋根の壁際部の雨仕舞構造において、
前記雨押え材（１９）の下側に、笠木（１７）に固定した補助雨押え（２２）が設けられ、補助雨押え（２２）の外壁（７）側端部に、上側に折り返してなる嵌合部（２６）が設けられ、雨押え材（１９）の外壁（７）側端部が、前記補助雨押え（２２）の嵌合部（２６）に嵌合固定されていることを特徴とする屋根の壁際部の雨仕舞構造。
【請求項２】
前記雨押え材（１９）の外壁（７）側に、上方に突出した後に下方に突出するように外壁（７）側に折り返してなる上方突出部（３０）と、上方突出部（３０）の折り返し部の下端から外壁側に突出した被嵌合部（３１）とが設けられ、被嵌合部（３１）が、前記補助雨押え（２２）の嵌合部（２６）に嵌合され、前記上方突出部（３０）と嵌合部（２６）とで、外壁（７）面に接するようにシーリング材（３３）を充填するための収納凹部（３４）が形成されていることを特徴とする請求項１に記載の屋根の壁際部の雨仕舞構造。
【請求項３】
前記補助雨押え（２２）は、笠木（１７）上面を包被する包被部（２３）と、包被部（２３）の外壁側の端部から上方に突出した立ち上がり部（２５）と、立ち上がり部（２５）の上端から外壁（７）側に突出した後に上側に折り返した嵌合部（２６）とが設けられていることを特徴とする請求項１又は２に記載の屋根の壁際部の雨仕舞構造。
【発明の詳細な説明】
【０００１】
【発明の属する技術分野】
本発明は、屋根の壁際部の雨仕舞構造に関するものである。
【０００２】
【従来の技術】
従来、屋根の棟側壁際部の雨仕舞構造としては、図７に示すように、屋根の壁際部に設置した屋根瓦上に、その壁際部に沿って笠木５１を延設し、壁側端縁に外壁パネル５２とほぼ平行な立板部５３を有する雨押え材５４で前記笠木５１を上から包被するようにし、前記笠木５１を、非木質系板材により構成すると共に前記外壁パネル５２とほぼ平行な立上り板５７を壁側端縁に具備し、雨押え材５４の立板部５３を、外壁パネル５２の外方において当該笠木５１の立上り板５７に重合状に固定し、雨押え材５４の立板部５３の上端部と前記外壁パネル５２との間に弾性シーリング５８を介装するようにしたものがある（例えば、特許文献１）。
【０００３】
また、図８に示すように、外壁パネル６１と屋根材６２との取合部の上側を、立上板部６３を有する雨押え材６４で覆い、雨押え材６４の立上板部６３を、壁に釘・ビス等の固着具６５により取付けられる固定部材６６を介して固定し、固定部材６６裏面の固着具６５が貫通する部分の外周に、空間を形成する凹部６７を設け、固定部材６６の前面に、固着具６５の貫通孔の上側に位置して前面側へ突出する水切段部６８が設けられ、固定部材６６の裏面上端部にシーリング材６９を介装したものがある（例えば、特許文献２）。
【０００４】
【特許文献１】
特開平６−１１７０６２号公報
【特許文献２】
特開平１１−２２９５６８号公報
【０００５】
【発明が解決しようとする課題】
しかし、前者では、外壁施工後に屋根の施工を行う場合、屋根の壁際に設置する雨押え材５４の固定には、立上り板５７を有する特殊な形状の笠木５１であって、この特殊な形状の笠木５１は金属及び樹脂製であり、板厚が１．２ｍｍ程度の分厚いものが必要となり、このため、現場での切断にはサンダー等の工具が必要となり、屋根の施工が非常に面倒になった。
また、後者では、外壁施工後に屋根の施工を行う場合、屋根の壁際に設置する雨押え材６４の固定には外壁面のへのビス等の固着具６５による固定が必要であり、仮に雨押え材６４の上部の弾性シーリング５８が切れ、雨押え材６４と外壁面との間に水が侵入した場合、外壁面へ打ったビス等の固着具６５を伝わって外壁面内側への漏水のおそれが大であった。
【０００６】
本発明は上記問題点に鑑み、屋根の施工が簡単になると共に、外壁面内側への漏水のおそれが少なくなるようにしたものである。
【０００７】
【課題を解決するための手段】
この技術的課題を解決するための本発明の技術的手段は、外壁７と屋根との取合部の上側を、雨押え材１９で覆うようにした屋根の壁際部の雨仕舞構造において、
前記雨押え材１９の下側に、笠木１７に固定した補助雨押え２２が設けられ、補助雨押え２２の外壁７側端部に、上側に折り返してなる嵌合部２６が設けられ、雨押え材１９の外壁７側端部が、前記補助雨押え２２の嵌合部２６に嵌合固定されている点にある。
【０００８】
また、本発明の他の技術的手段は、前記雨押え材１９の外壁７側に、上方に突出した後に下方に突出するように外壁７側に折り返してなる上方突出部３０と、上方突出部３０の折り返し部の下端から外壁側に突出した被嵌合部３１とが設けられ、被嵌合部３１が、前記補助雨押え２２の嵌合部２６に嵌合され、前記上方突出部３０と嵌合部２６とで、外壁面に接するようにシーリング材３３を充填するための収納凹部３４が形成されている点にある。
また、本発明の他の技術的手段は、前記補助雨押え２２は、笠木１７上面を包被する包被部２３と、包被部２３の外壁側の端部から上方に突出した立ち上がり部２５と、立ち上がり部２５の上端から外壁７側に突出した後に上側に折り返した嵌合部２６とが設けられている点にある。
【０００９】
【発明の実施の形態】
以下、本発明を図示の実施の形態に従って説明する。
図１は、本発明を棟側壁際部に採用した実施形態、特に既設屋根材上に新しい屋根材を葺いた場合の雨仕舞構造を示している。同図において、１は野地板で、下面側において垂木により支持されており、野地板１上面にはアスファルトルーフィング等からなる防水シート３が全面に敷設されていて、防水シート３の上に、ほぼ平板系の旧（既設）の屋根材４が葺かれている。
【００１０】
前記野地板１の上端縁は、壁躯体５の表面に突き合わせ状に設けられ、これらにより屋根と壁の取合部即ち屋根の壁際部が構成されている。前記壁躯体５の表面には、横方向の胴縁を介在し又は胴縁を介在することなく外壁パネル７が取付けられ、この外壁パネル（外壁）７の裏側には壁用の防水シート８が張設されている。前記壁際部に配置した旧屋根材４上には、従来と同じ旧形式の雨仕舞構造が構成されている。即ち、旧屋根材４上の壁際には、壁躯体５と平行に長尺の木質笠木９が配され、釘等の固着具１０により屋根材４を介して野地板１に固定されており、該笠木９上に板金製の旧雨押え材１１が取付けられている。
【００１１】
該旧雨押え材１１は、笠木９の包被部１２と、包被部１２の壁側端縁に立設した立上板部１３とを一体に備え、包被部１２前面を前記笠木９に釘等の固着具１４で固定し、かつ立上板部１３を外壁パネル７の裏面側に挿入することで、壁際部に沿って固定され、既設の旧雨仕舞構造が構成されている。
新しい屋根材１５は、旧雨押え材１１の包被部１２前面から屋根の軒先に向って葺かれており、新屋根材１５棟側端部と旧雨押え材１１との上面には、防水シート（裏面に粘着剤を設けたアスファルトルーフィング等）１６が敷設され、旧笠木９上に防水シート１６を介して木質笠木１７が釘等の固着具１８により固定されている。そして、前記笠木１７は、新しい雨押え材１９により上側から包被され、雨押え材１９の下側に、ねじ釘等の固着具２１により笠木１７に固定した補助雨押え２２が設けられている。
【００１２】
補助雨押え２２は、図４にも示すように、笠木１７上面を包被する包被部２３と、包被部２３の外壁側の端部から上方に突出した立ち上がり部２５と、立ち上がり部２５の上端から外壁側に突出した後に上側に折り返した嵌合部２６とを有している。
前記雨押え材１９は、図３にも示すように、笠木１７上面を包被する包被部２９を有すると共に、包被部２９の外壁側に、上方に突出した後に下方に突出するように外壁側に折り返してなる上方突出部３０と、上方突出部３０の折り返し部の下端から外壁側に突出した被嵌合部３１とが設けられている。雨押え材１９の包被部１２前面が笠木１７にねじ釘等の固着具３２で固定されている。
【００１３】
被嵌合部３１は、補助雨押え２２の嵌合部２６に嵌合され、前記上方突出部３０と嵌合部２６（又は被嵌合部３１）とで、外壁面に接するようにシーリング材３３を充填するための収納凹部３４が形成されている。収納凹部３４の下部に、発泡体により構成したバックアップ材３５が収納され、収納凹部３４のバックアップ材３５上方にシーリング材３３が充填されている。シーリング材３３の充填により、雨押え材１９と外壁面との継ぎ目からの漏水を防ぐようになっている。
補助雨押え２２の立ち上がり部２５に、発泡体により構成した防水材３７が粘着材を介して貼り付けられている。防水材３７は、圧縮した状態で、外壁パネル７と立ち上がり部２５と嵌合部２６との間に保持されて、雨押え材１９と外壁面との継ぎ目からの漏水を一次的に防ぐようになっている。
【００１４】
上記実施の形態によれば、外壁施工後に屋根の施工を行う場合、図２に示すように、釘等の固着具１８で笠木１７を固定すると共に、補助雨押え２２を笠木１７にねじ釘等の固着具２１で固定し、その後、雨押え材１９を矢印Ａ方向へと差し込み、雨押え材１９の被嵌合部３１を、補助雨押え２２の嵌合部２６に嵌合すればよく、雨押え材１９を釘等の固着具を使用することなく外壁パネル７に対して簡単に固定することができる。
そして、収納凹部３４に、バックアップ材３５を収納すると共に、シーリング材３３を充填することによって、雨押え材１９と外壁面との継ぎ目からの漏水を防ぐことができる。
【００１５】
従って、雨押え材１９の外壁７側端部（被嵌合部３１）が、補助雨押え２２の嵌合部２６に嵌合固定されているので、雨押え材１９の固定には、立上り板を有する特殊な形状の笠木は必要でなくなり、通常の木質の笠木１７を使用できるため、雨押え材１９や補助雨押え２２等の切断加工は、従来からの板金役物の加工に用いるハサミでなすことが可能になって、現場での切断にサンダー等の工具は不要になり、屋根の施工が非常に簡単になる。しかも、上記の如く雨押え材１９の固定に、外壁面のへのビス等の固着具も不要になり、外壁面へ打ったビス等の固着具６５を伝わって外壁面内側への漏水のおそれがなくなる。
【００１６】
図５及び図６は他の実施形態を示し、図５に示すように、新しい屋根材１５として厚型のものが使用され、この屋根材１５は、例えば発泡体３９を金属被覆板４０により覆ってなり、旧雨押え材１１の包被部１２前面から屋根の軒先に向って葺かれている。また、前記旧笠木９と新笠木１７との間に、段差調整用の笠木４２が設けられ、段差調整用の笠木４２と屋根材１５の軒側端部との間に、段差調整用の雨押え材４３が設けられている。
段差調整用の笠木４２は、図示省略の固定具により旧笠木９等に固定されている。段差調整用の雨押え材４３は、図６にも示すように、笠木４２上面を包被する包被部４４を有すると共に、包被部４４の軒側に、鉤型に下方に突出した係止部４５が設けられている。雨押え材４３の包被部４４が笠木４２に図示省略のねじ釘等の固着具で固定され、係止部４５に、新屋根材１５の金属被覆板４０に形成した係合突起４７が係合されている。
【００１７】
その他の点は前記実施の形態の場合と同様の構成であり、前記実施の形態の場合と同様に現場での切断にサンダー等の工具は不要になり、屋根の施工が非常に簡単になるし、雨押え材１９の固定に、外壁面のへのビス等の固着具も不要になり、外壁面へ打ったビス等の固着具６５を伝わって外壁面内側への漏水のおそれがなくなる。
本発明は、上記実施形態に限定されるものではなく、例えば、屋根の流れ側壁際部に採用できるほか、外壁がパネルではなくモルタル壁の場合にも採用でき、さらに屋根の改修以外の新築建物の壁際部の雨仕舞構造に採用可能である。
【００１８】
また、雨押え材１９や補助雨押え２２は、板金等の金属製のものに限定されず、合成樹脂製その他のもので構成するようにしてもよい。
【００１９】
【発明の効果】
本発明によれば、屋根の施工が簡単になると共に、外壁面内側への漏水のおそれが少なくなる。
【図面の簡単な説明】
【図１】本発明の一実施の形態を示す換気棟の縦断面図である。
【図２】同組み立て工程を示す縦断面図である。
【図３】同雨押え材の斜視図である。
【図４】同補助雨押えの斜視図である。
【図５】他の実施の形態を示す換気棟の縦断面図である。
【図６】同段差調整用の雨押え材の斜視図である。
【図７】従来例を示す縦断面図である。
【図８】他の従来例を示す縦断面である。
【符号の説明】
７    外壁パネル
１７    笠木
１９    雨押え材
２２    補助雨押え
２３    包被部
２５    立ち上がり部
２６    嵌合部
３０    上方突出部
３１    被嵌合部
３３    シーリング材
３４    収納凹部
【図１】
2004339759.tif 000003
【図２】
2004339759.tif 000004
【図３】
2004339759.tif 000005
【図４】
2004339759.tif 000006
【図５】
2004339759.tif 000007
【図６】
2004339759.tif 000008
【図７】
2004339759.tif 000009
【図８】
2004339759.tif 000010
【手続補正書】
【提出日】平成15年6月20日(2003.6.20)
【手続補正１】
【補正対象書類名】図面
【補正対象項目名】図３
【補正方法】変更
【補正の内容】
【図３】
2004339759.tif 000011
【手続補正２】
【補正対象書類名】図面
【補正対象項目名】図４
【補正方法】変更
【補正の内容】
【図４】
2004339759.tif 000012